(57)【特許請求の範囲】
【請求項１】
洗い場パン、浴槽パン及びエプロンの各浴室部材を締結部材を介して締結する締結構造であって、
前記締結部材の下部側に設けられ、前記洗い場パンと前記浴槽パンと対し上方から貫通されて前記両パンを締結する第１締結部と、
前記締結部材の上部側に設けられ、前記洗い場パンと前記浴槽パンとが締結された状態ではこれら両パンの上方に突出するとともに、この突出した部分に前記エプロンが貫通されて同エプロンの締結を可能とする第２締結部とを備え、
前記締結部材は、締結ボルトとこの締結ボルトにねじ込み可能なナットによって構成されるとともに、前記第１締結部及び前記第２締結部は共に前記締結ボルトに形成されたねじ部であり、
前記締結ボルトにおける前記第１締結部と前記第２締結部との間には、前記洗い場パン及び前記浴槽パンのうち上側に配置される方の上面を押さえ付ける鍔部付きのナットが一体に形成されていることを特徴とする浴室部材の締結構造。
【請求項２】
前記洗い場パンには、前記浴槽パンとの締結がなされる前の単体状態で、前記ナットが保持されていることを特徴とする請求項１に記載の浴室部材の締結構造。
【発明の詳細な説明】
【技術分野】
【０００１】
本発明は浴室部材の締結構造及び締結方法に関するものである。
【背景技術】
【０００２】
従来より、浴室内に設置される洗い場パンや浴槽パンといった防水用の浴室部材を接続する構造として、下記特許文献１が知られている。ここには、洗い場パンと浴槽パンとの接続に先立って、洗い場パンの締結部位に予めナットを取付けておくようにした技術が開示されている。このようにしておけば、浴槽パンの締結部位を洗い場パンの締結部位に重ね合わせれば、その後は締結ボルトにて両パンを一括して共締めすることができ、施工の簡便化が図れる。
【先行技術文献】
【特許文献】
【０００３】
【特許文献１】特開２００５−６８７８６号公報
【発明の概要】
【発明が解決しようとする課題】
【０００４】
ところで、浴槽には浴槽用エプロンパネル（単にエプロンという）が取付けられることが多く、これを用いる場合には上記した洗い場パンや浴槽パンと接続されることになる。そうした際に、上記した構造を用いると、エプロンは洗い場パン、浴槽パンと共に締結ボルトにて一括して締結されることになる。
【０００５】
しかし、そのような一括締結構造を採用すると、浴槽パン、エプロンに対する個別の位置調整および個別の固定を行うことができなくなり、作業性を低下させてしまう、という問題がある。
【０００６】
また、個別の位置調整の作業を行うにしても、同作業は浴槽パンに浴槽を設置した後に行うのが好都合であるが、浴槽を設置するときに既に締結ボルトが突出状態で取付けられていると、浴槽の底面に締結ボルトが干渉して浴槽底面を傷付けてしまう虞がある。
本発明は上記のような事情に基づいて完成されたものであって、作業性に優れる浴室部材の締結構造及び締結方法を提供することを目的とする。
【課題を解決するための手段】
【０００７】
本発明における浴室部材の締結構造は、洗い場パン、浴槽パン及びエプロンの各浴室部材を締結部材を介して締結する締結構造であって、締結部材の下部側に設けられ、洗い場パンと浴槽パンと対し上方から貫通されて両パンを締結する第１締結部と、締結部材の上部側に設けられ、洗い場パンと浴槽パンとが締結された状態ではこれら両パンの上方に突出するとともに、この突出した部分にエプロンが貫通されて同エプロンの締結を可能とする第２締結部とを備え、締結部材は、締結ボルトとこの締結ボルトにねじ込み可能なナットによって構成されるとともに、第１締結部及び第２締結部は共に締結ボルトに形成されたねじ部であり、締結ボルトにおける第１締結部と第２締結部との間には、浴槽パンの上面を押さえ付ける鍔部付きのナットが一体に形成されていることを特徴とする。
【０００９】
本発明によれば、締結部材に第１締結部と第２締結部とを形成して、洗い場パンと浴槽パンとの締結する作業と、これらにさらにエプロンを締結する作業とを別個に行うことができる。したがって、一括して締結する場合に比較して作業が容易であり、かつ各作業ごとに浴室部材の位置調整を行うことができるため、円滑に締結作業を行うことができる。
【図面の簡単な説明】
【００１０】
【図１】実施例１における洗い場パン、浴槽パン、エプロンの各浴室部材を示す斜視図
【図２】各浴室部材の締結構造を分解して示す断面図
【図３】洗い場パンに対し浴槽パンを締結する第１工程が完了した状態を示す断面図
【図４】さらにエプロンを締結する第２工程が完了した状態を示す断面図
【図５】クリップの斜視図
【図６】ナットを装着した状態のクリップと、締結ボルトを示す斜視図
【発明を実施するための形態】
【００１１】
本発明における好ましい実施の形態を説明する。
【００１２】
本発明において、前記洗い場パンには、前記浴槽パンとの締結がなされる前の単体状態で、前記ナットが保持されるようにしてもよい。
このような構成によれば、洗い場パンと浴槽パンとの締結に先立って予めナットが保持されているため、洗い場パンと浴槽パンとの締結作業を容易に行うことができる。
【００１４】
＜実施例１＞
実施例１に係る浴室は、浴槽１、浴槽パン２、洗い場パン３及びエプロン４といった各種の浴室部材を備えている。図１はこれらの分解図である。
【００１５】
これら浴室部材に対する据え付け作業の一例を説明する。この作業は、洗い場パン３に浴槽パン２を締結する第１工程と、第１工程の後にさらにエプロン４を締結する第２工程とに分けてなされる。
【００１６】
第１工程の開始にあたり、まず、洗い場パン３が図示しない躯体床面から離した状態で水平に取り付けられる。
図２に示すように、洗い場パン３の周縁には上向きに周壁５が起立して形成されている。周壁５のうち浴槽１と対向する部分の上端縁には全長に亘って外向きかつ水平に張り出し壁６が延出している。張り出し壁６の延出端縁には全長に亘ってほぼ下向きに垂下壁７が連続して形成されており、垂下壁７と周壁５との間には隙間が保有されている。垂下壁７の下端縁には保持壁８が全長に亘って外向き（浴槽１に接近する方向）かつ水平に張り出し形成されている。保持壁８の下面全体は面一に形成されているが、上面側は付け根側よりも厚肉となって付け根側との間で段差を持つ保持部９が形成されている。
【００１７】
保持部９において浴槽１と対向する側面には、下方へ向けて徐々に内向きに傾斜するテーパ面１０が形成されている。保持部９には複数の貫通孔１１が縦向きに形成されている。各貫通孔１１は保持部９の長手方向に沿って一定ピッチで配されている。
【００１８】
保持部９には、図６に示すように、各貫通孔１１に対応してナット付きクリップＮＣが複数個、装着されている。
【００１９】
クリップ１２は、例えば合成樹脂製であり、図５に示すように、基板１３と、基板１３の一側縁から上記したテーパ面１０の勾配に適合する勾配をもって斜めに立ち上がる側板１４と、側板１４の上端縁から基板１３の上方に対向するように延出する天板１５とを備えて構成されている。
天板１５の中央部には締結ボルト１６の第１締結部１７が挿通される通し孔１９が貫通して形成されている。また、天板１５の先端縁には全長に亘って上部挟持片２０が断面略Ｖ字状をなして形成されている。
【００２０】
一方、基板１３における先端縁側の長さ方向中央部には、先端縁から奥方、つまり側板１４に向けてＵ字状に延出しつつ貫通する溝部２１が切欠き形成されている。前記した通し孔１９の中心軸は溝部２１の幅方向に関する中心線を通過するように設定されている。
【００２１】
基板１３の上面（内面）において溝部２１を長手方向に挟んだ両側にはフランジ付きナット２２を奥方へ誘導して支持するためのナット支持面２３が形成されている。また、基板１３の上面には溝部２１およびナット支持面２３の奥部を三方（奥方と幅方向両側方）から包囲するようにして当て止め部２４が形成されている。当て止め部２４は基板１３の内面（上面）において垂直断面が逆Ｌ字状をなして形成されている。そして、その内側にフランジ付きナット２２のフランジ部２２Ａの一部を圧入気味にして収容可能である。フランジ部２２Ａは当て止め部２４内の底面及び天井面との間で挟み付けられ、上方へ外れ止めされた状態となっている。当て止め部２４のうち側板１４の内面に沿って配置される部分の幅方向の中央部には、Ｖ字状の切欠き部２５が形成されている。この切欠き部２５のＶ字形状はフランジ付きナット２２における六角形状をなすナット部２２Ｂのうち隣接する２つの外側面に適合するような角度をもって形成されている。このことにより、フランジ付きナット２２が当て止め部２４に収容された状態では、六角形状をなすナット部２２Ｂは当て止め部２４から上方へ突出するとともに、切欠き部２５の縁部及び当て止め部２４のうち幅方向に平行に対向する部分の両側縁と、ナット部２２Ｂにおける４つの連続する側面とが適合して面当たりするため、フランジ付きナット２２は回り止めされた状態で収容されることになる。
【００２２】
基板１３の先端縁には上記溝部２１を幅方向に挟んで一対の下部挟持片２６が設けられている。両下部挟持片２６は洗い場パン３側へ向けて突設されている。両下部挟持片２６は、上部挟持片２０とは逆向きのＶ字状をなして形成されている。
クリップ１２がほぼ自然状態にあるときの上部挟持片２０と下部挟持片２６との高さ方向の間隔は、保持部９の高さ寸法より狭く形成されている。ナット付きクリップＮＣが保持部９に装着されるときには、上下の挟持片２０，２６の高さ間隔を弾性的に押し広げつつ浴槽１側から押し嵌められる。そして、上部挟持片２０が保持部９を通過した時点で、上部挟持片２０が天板１５と共に弾性復帰して保持部９と保持壁８との間の段差に引っ掛かり、これによってナット付きクリップＮＣが保持部９に対して抜け止めされた状態で装着される。このときには、保持部９の貫通孔１１、クリップ１２の通し孔１９及びフランジ付きナット２２のねじ孔（めねじ）とが同軸で連通するようクリップ１２の取付け位置が調整される。
また、両下部挟持片２６の幅方向の外縁部にはそれぞれ立壁２６Ａが互いに向き合うようにして突出して形成されている。両下部挟持片２６の上面は、ナット付きクリップＮＣが保持部９に装着されるときに、保持部９の下面に摺接して装着作業の円滑化が図られている。
【００２３】
締結ボルト１６は、図２、図６に示すように、中心軸線に沿って延びる軸部２７を有しており、その一端（図６では下端）に小径部２８が同軸で突出している。小径部２８はクリップ１２の通し孔１９に対する差し込みガイドの役割りを果たす。
【００２４】
軸部２７のほぼ中央部には、大径のスペーサ部２９が一体に形成されている。このスペーサ部２９は円盤状に形成され、後述する浴槽パン２の挿通孔３０（長孔）に対し嵌合可能な外径に形成され、かつその厚みは浴槽パン２の装着片３１の厚みとほぼ同じ寸法に設定されている。
【００２５】
軸部２７において、スペーサ部２９の上面側には鍔部３２が連続して形成されている。鍔部３２はスペーサ部２９よりも大径に形成され、その下面には浴槽パン２の装着片３１の上面を押圧可能な押さえ面３２Ａが形成されている。また、鍔部３２の図示上面側には六角ナット部３３が連続して形成されている。この六角ナット部３３の最大外径はスペーサ部２９の外径とほぼ等しい設定となっている。
【００２６】
また、軸部２７においてスペーサ部２９、鍔部３２及び六角ナット部３３を挟んだ一端側（小径部２８側）にはおねじによって形成された第１締結部１７が形成されており、他端側には同様におねじによって形成された第２締結部１８が形成されている。第１締結部１７は小径部２８より上位側で所定長さ範囲に亘って形成され、第２締結部１８は反対側の端部から第１締結部１７とほぼ同じ長さ範囲に亘って形成されている。
【００２７】
浴槽パン２は、洗い場パン３が据え付けられている状態で、図示しない支持フレームに対して仮置きされる。浴槽パン２は、図１に示すように、底壁２Ａとこの底壁２Ａを三方から囲む３つの側壁２Ｂによって構成され、上方及び洗い場側に対向する側面はほぼ全面が開口している。
【００２８】
図２乃至図４に示すように、浴槽パン２における開口側面の下縁には、ほぼ全長に亘って立ち上がり片３４が形成されている。立ち上がり片３４の上端部には洗い場側へ向けてほぼ水平に張り出す装着片３１が形成されている。装着片３１には長さ方向へ一定ピッチで複数の挿通孔３０が貫通している。但し、挿通孔３０は長手方向への長孔とされている。また、装着片３１における長手方向の両側縁には全長に亘って一対の起立片３５が対向して立ち上がり形成されている。
【００２９】
浴槽パン２が仮置きされた状態では、各挿通孔３０が対応するクリップ１２の通し孔１９に連通するように調整される。浴槽パン２が仮置きされた後に、浴槽パン２の上方に浴槽１がセットされる。
【００３０】
なお、この時点では締結ボルト１６の装着がなされていないことから、浴槽１のセット作業時に浴槽１と締結ボルト１６とが干渉して浴槽１の底面を傷付けてしまう虞はない。
【００３１】
続いて、締結ボルト１６の小径部２８による誘い込みがなされつつ第１締結部１７が浴槽パン２の挿通孔３０、クリップ１２の通し孔１９および保持部９の貫通孔１１へと差し込まれる。そして、締結ボルト１６の六角ナット部３３を回転操作することによって第１締結部１７がフランジ付きナット２２に対してねじ込まれる。上記のねじ込み作業を全ての締結ボルト１６に対して繰り返すことで、浴槽パン２と洗い場パン３との締結が完了する。
【００３２】
ところで、本実施例では、締結ボルト１６の差し込み作業の前に浴槽１のセットを行うようにしている。仮に、浴槽パン２と洗い場パン３との連結作業の後に浴槽１のセット作業を行うようにすると、複数本の締結ボルト１６が浴槽パン２の装着片３１から上方へ突き出た状態となっているため、浴槽１の底面を締結ボルト１６の第２締結部１８と干渉させて傷付けてしまう虞があったり、浴槽１を締結ボルト１６との干渉を回避し得る高さまで浴槽１を持ち上げてセットしなければならず、作業者にとって大きな負担を強いることになったりする。よって、これらを回避するために、締結作業に先立って浴槽１をセットすることによって、負担もなく作業を簡単に行うことができる。
【００３３】
続いて、第２工程であるエプロン４の取り付け作業がなされる。エプロン４は浴槽１における洗い場に対向する側の側面に取り付けられる。図１に示すように、エプロン４には図示２つの作業用の窓孔３６が並列して開口している。図２等に示すように、エプロン４の下端側には洗い場側に向けて補強用のリブ３７が突出形成されている。また、エプロン４の下端には浴槽１側へ向けて連結壁３８がほぼ水平に延出している。図４に示すように、連結壁３８の付け根部分は、エプロン４の締結時において洗い場パン３の張り出し壁６の上面に載置される仮置き部３８Ａとなっている。連結壁３８において、仮置き部３８Ａより先端側は一段下がって締結部３８Ｂが形成されている。締結部３８Ｂには締結ボルト１６の第２締結部１８を遊挿可能な挿入孔３９が貫通している。挿入孔３９は各締結ボルト１６の配設位置に合わせて同ピッチで複数個所に配されている。各挿入孔３９の孔径は第２締結部１８の外径よりも十分に大径に形成され、エプロン４を締結する際の位置調整を可能にしている。
【００３４】
また、連結壁３８の下面であって仮置き部３８Ａと締結部３８Ｂとの境界部分には長手方向に沿って位置決め部３８Ｃが垂下して形成されている。この位置決め部３８Ｃは、エプロン４の締結に際して、洗い場パン３の垂下壁７と浴槽パン２における先端側の起立片３５（装着片３１）との間に差し込まれることで、洗い場パン３および浴槽パン２に対するエプロン４の図２等に示す左右方向に関する概略の位置決めを可能にする。
【００３５】
エプロン４の締結作業は、洗い場パン３と浴槽パン２とが締結された後（図３に示す状態）に行われる。エプロン４の締結作業にあたり、まず締結ボルト１６の上端からワッシャ４０を嵌め入れ、締結ボルト１６の六角ナット部３３の上面に載せておく。その状態で、エプロン４の位置決め部３８Ｃを洗い場パン３の垂下壁７と浴槽パン２の装着片３１との間に差し込むことでエプロン４の概略の位置決めを行いつつ、第２締結部１８の上端から挿入孔３９を差し込み、仮置き部３８Ａを洗い場パン３の張り出し壁６の上面に載置しておく。
【００３６】
この後に、作業者は洗い場側からエプロン４の窓孔３６を介して手にしたワッシャ４２を第２締結部１８に嵌め入れる。そして、袋ナット４１のねじ込みがなされれば洗い場パン３、浴槽パン２に対するエプロン４の締結作業が完了する。なお、エプロン４の上部側は浴槽１側へ取付けられる。
【００３７】
以上のように、本実施例１では、締結ボルト１６の軸部２７において、スペーサ部２９、鍔部３２及び六角ナット部３３が形成されている部分を挟んで第１締結部１７と第２締結部１８とが分離して設けられている。これにより、洗い場パン３と浴槽パン２との締結を第１締結部１７が担い、この締結後におけるエプロン４の締結を第２締結部１８が担うことができる。すなわち、エプロン４の締結の際の調整作業と洗い場パン３に対する浴槽パン２の調整作業を切り離して行うことができるため、浴室部材の締結作業を効率よく行うことができる。
【００３８】
また、本実施例１では、洗い場パン３へのフランジ付きナット２２の保持が、クリップ１２によるワンタッチ操作にて行うことができるため、この点も作業性向上に寄与している。
【００３９】
＜他の実施例＞
本発明は上記記述及び図面によって説明した実施例に限定されるものではなく、例えば次のような実施例も本発明の技術的範囲に含まれる。
（１）上記実施例１では締結部材がボルトとナットによる場合を示したが、これに代えて樹脂製の締結部材であってもよい。そのような締結部材としては、例えば、長手方向の中央部に浴槽パン２に対する押さえ用のフランジが張り出し形成され、このフランジを境に下端側に洗い場パン３に対し抜け止め状態で弾性係止される第１締結部が形成され、上端側にエプロン４側が差し込まれて抜け止め状態で弾性係止される第２締結部が形成される形態のものが考えられる。
（２）上記実施例１ではクリップを介してナットが保持されるようにしたが、保持部の下面にナットが溶接等によって固着される形態であってもよい。
【００４０】
（３）上記実施例１では、洗い場パン３の保持部９にクリップ１２を介してナット２２を保持しておくようにしたが、クリップ１２及びナット２２を廃して保持部９の貫通孔１１をねじ孔として形成するようにしてもよい。
【００４１】
（４）上記実施例１では、洗い場パン３の上に浴槽パン２を重ねて締結したが、これの重ね合わせの関係を逆転し、浴槽パン２の上に洗い場パン３を重ねて締結するようにしてもよい。
【符号の説明】
【００４２】
２…浴槽パン
３…洗い場パン
４…エプロン
１６，５２…締結ボルト
１７，５０…第１締結部
１８，５１…第２締結部
２２…フランジ付きナット
３２…鍔部
３３…六角ナット部（ナット）
【図１】
0006713193.tif 000002
【図２】
0006713193.tif 000003
【図３】
0006713193.tif 000004
【図４】
0006713193.tif 000005
【図５】
0006713193.tif 000006
【図６】
0006713193.tif 000007